(57)【要約】【課題】機械室有り既設エレベーターを機械室無しエレベーターに容易に改修することができるエレベーター装置を得る。【解決手段】既設昇降路１上方の機械室２に巻上機が設置された機械室有り既設エレベーターを、機械室無しエレベーターに改修する工事において、昇降体１０，１１、昇降体１０内の負荷、主索１４、滑車１２，１３の重量を支持する支持梁４を設ける。そして、エレベーターを設置した建物の構造体３によって支持梁４を支持して、既設案内レール９に昇降体１０等の重量による荷重が作用しない構造とする。したがって、既設案内レール９をそのまま流用することが可能となり、改修工事の資材を節減し、また改修工事の手数を省くことができて費用を低減する。【選択図】        図１
2004196468.tif 000002
【特許請求の範囲】
【請求項１】
既設昇降路が設けられた建物の構造体、上記既設昇降路の上部に配置された滑車と、上記既設昇降路に立設された既設案内レールと、この既設案内レールに案内されて昇降する昇降体と、上記既設昇降路内に設置された更新巻上機と、この更新巻上機の駆動綱車に巻掛けられて上記滑車を介して上記昇降体を吊持した主索と、上記滑車が枢着されて上記構造体に支持され、上記滑車に作用する荷重を負担する支持梁とを備えたエレベーター装置。
【請求項２】
構造体を、既設昇降路の上方の機械室に設けられた既設機械台からなるものとしたことを特徴とする請求項１記載のエレベーター装置。
【請求項３】
構造体を、既設昇降路内の上部寄りに設けられた建物の梁からなるものとしたことを特徴とする請求項１記載のエレベーター装置。
【発明の詳細な説明】
【０００１】
【発明の属する技術分野】
この発明は、改修工事において更新巻上機が既設昇降路内に設置されるエレベーター装置に関する。
【０００２】
【従来の技術】
エレベーターは建物に形成された昇降路の上部に設けられた機械室に機械台が設置され、この機械台に巻上機が据付けられる。そして、巻上機の駆動綱車にかご等の昇降体を吊持した主索が巻掛けられ、巻上機が付勢されることによって主索を介して昇降体が昇降運転される。このような構造において、巻上機、昇降体、昇降体内の負荷、主索の重量が機械台、すなわち建物の構造体によって支持される。
【０００３】
前述の機械室有りエレベーターを、巻上機が昇降路内に設置されたいわゆる機械室無しエレベーターに改修する場合があり、このときに従来の改修工事では、機械室無しエレベーターの巻上機を昇降路内に設置し、また昇降路内の上部に支持梁が設けられて滑車が枢着される。また、昇降体の昇降を案内する案内レールが昇降路に立設されて、この案内レールの上端によって昇降路内上部の支持梁が支持される。そして、昇降路を昇降する昇降体を吊持した主索が支持梁の滑車及び巻上機の駆動綱車に巻掛けられる。（例えば、特許文献１参照）。
【０００４】
【特許文献１】
特開２００２−８０１７８号公報（第７頁、第１図）
【０００５】
【発明が解決しようとする課題】
機械室無しエレベーターの構成においては、案内レールの上端によって支持梁を支持し、支持梁に枢着された滑車に作用する昇降体等の荷重が支持される。このため、以上説明した従来における機械室有り既設エレベーターを、機械室無しエレベーターに更新する改修工事を行う場合に、既設エレベーターの案内レールを流用することができず、支持梁の支持が可能である強固な案内レールに更新する必要があり費用が嵩むという問題点があった。
【０００６】
この発明は、かかる問題点を解消するためになされたものであり、機械室有り既設エレベーターを機械室無しエレベーターに容易に改修することができるエレベーター装置を得ることを目的とする。
【０００７】
【課題を解決するための手段】
この発明に係るエレベーター装置においては、既設昇降路が設けられた建物の構造体、既設昇降路の上部に配置された滑車と、既設昇降路に立設された既設案内レールと、この既設案内レールに案内されて昇降する昇降体と、既設昇降路内に設置された更新巻上機と、この更新巻上機の駆動綱車に巻掛けられて既設昇降路上部の滑車を介して昇降体を吊持した主索と、既設昇降路上部の滑車が枢着されて建物の構造体に支持され、滑車に作用する荷重を負担する支持梁とが設けられる。
【０００８】
【発明の実施の形態】
実施の形態１．
図１は、この発明の実施の形態の一例を概念的に示す図で、昇降路の縦断面図である。図において、建物に設けられた既設昇降路１の上方に機械室２が設けられ、機械室２に既設機械台からなる建物の構造体３が設けられている。そして、既設昇降路１の上部に支持梁４が設けられて長手が水平に配置され、また一端が構造体３に締結されて機械室２床を貫通し他端が支持梁４に連結された連結材５が支持梁４の長手両端部にそれぞれ配置される。
【０００９】
また、既設昇降路１の底面に取付台６が設けられて駆動綱車７を有する更新巻上機８が設置され、また取付台６から既設案内レール９が立設されて支持梁４の下縁部よりも下方に上端が配置される。そして、既設昇降路１の所定経路を昇降するかごからなる第一昇降体１０が配置され、また既設案内レール９に案内されて既設昇降路１の他の所定経路を昇降するつり合おもりからなる第二昇降体１１が配置される。
【００１０】
そして、かご用滑車１２及びつり合おもり用滑車１３が支持梁４に設けられる。また、主索１４の一端が支持梁４に連結されて第一昇降体１０の滑車１５に巻掛けられてかご用滑車１２に巻掛けられ、次いで駆動綱車７に巻掛けられてつり合おもり用滑車１３に巻掛けられ、さらに第二昇降体１１の吊り車１６に巻掛けられて他端は支持梁４に連結される。
【００１１】
上記のように構成されたエレベーター装置において、更新巻上機８が付勢されると駆動綱車７が回転し、主索１４を介して第一昇降体１０及び第二昇降体１１が互いに反対方向へ昇降する。そして、既設昇降路１上方の機械室２に巻上機（図示しない）が設置された機械室有り既設エレベーター（図示しない）を改修して、機械室無しエレベーターに更新した場合に、次に述べるように第一昇降体１０等の重量が支持される。
【００１２】
すなわち、図１に示す機械室無しエレベーターにおいて、第一昇降体１０、第二昇降体１１、第一昇降体１０内の負荷、主索１４、かご用滑車１２及びつり合おもり用滑車１３の重量が支持梁４によって支持される。そして、支持梁４は連結材５を介して機械室２の構造体３によって支持される。このため、既設案内レール９に第一昇降体１０等の重量による荷重が作用することがない。したがって、既設案内レール９を流用することができて改修工事に要する資材を節減し、また改修工事の手数を省くことができ改修工事の費用を低減することができる。
【００１３】
実施の形態２．
図２は、この発明の他の実施の形態の一例を概念的に示す図で、昇降路の縦断面図である。図において、前述の図１と同符号は相当部分を示し、既設昇降路１内の上部寄りに設けられた建物の梁からなる構造体１７が突出して配置される。そして、構造体１７によって支持梁４の長手両端がそれぞれ支持される。
【００１４】
上記のように構成されたエレベーター装置においても、かご用滑車１２等が枢着された支持梁４が建物の構造体１７によって支持されて、既設案内レール９に第一昇降体１０等の重量による荷重が作用することがない。したがって、詳細な説明を省略するが図２の実施の形態においても図１の実施の形態と同様な作用が得られる。
【００１５】
【発明の効果】
この発明は以上説明したように、既設昇降路が設けられた建物の構造体、既設昇降路の上部に配置された滑車と、既設昇降路に立設された既設案内レールと、この既設案内レールに案内されて昇降する昇降体と、既設昇降路内に設置された更新巻上機と、この更新巻上機の駆動綱車に巻掛けられて既設昇降路上部の滑車を介して昇降体を吊持した主索と、既設昇降路上部の滑車が枢着されて建物の構造体に支持されて、滑車に作用する昇降体等の荷重を負担する支持梁とを設けたものである。
【００１６】
これによって、既設昇降路上方の機械室に巻上機が設置された機械室有り既設エレベーターを改修して、機械室無しエレベーターに更新した場合に、次に述べるようにして昇降体等の重量が支持される。すなわち、機械室無しエレベーターにおいて昇降体、昇降体内の負荷、主索、滑車の重量が支持梁によって支持される。そして、支持梁が建物の構造体によって支持されるため、既設案内レールに昇降体等の重量による荷重が作用することがない。したがって、既設案内レールを流用することができて改修工事の資材を節減し、また改修工事の手数を省くことができ改修工事の費用を低減する効果がある。
【図面の簡単な説明】
【図１】この発明の実施の形態１を概念的に示す昇降路の縦断面図。
【図２】この発明の実施の形態２を概念的に示す昇降路の縦断面図。
【符号の説明】
１  既設昇降路、３  構造体、４  支持梁、７  駆動綱車、８  更新巻上機、９  既設案内レール、１０  第一昇降体（昇降体）、１１  第二昇降体（昇降体）、１２  かご用滑車（滑車）、１３  つり合おもり用滑車（滑車）、１４  主索、１７  構造体。
【図１】
2004196468.tif 000003
【図２】
2004196468.tif 000004